(57)【要約】【課題】放熱部材を設けることなく、ファン４の送風を利用して、照明装置を冷却する。【解決手段】吸い込んだ空気にイオンを含めて上側から吹き出すエンジン部１は、イオンを発生するイオン発生装置３およびファン４を有する。通気性および透光性を有する外郭２は、エンジン部１をぶら下がった状態で保持する。エンジン部１の上部に吹出口１１が形成され、下部に吸込口１０が形成される。照明装置５は、吸込口１０の上流側において、ファン４の駆動によって外郭２内に生じる風の流れの中に配される。【選択図】図２
2016070540.tif 000002
【特許請求の範囲】
【請求項１】
イオンを発生するイオン発生装置およびファンを有し、吸い込んだ空気にイオンを含めて上側から吹き出すエンジン部と、エンジン部をぶら下がった状態で保持する通気性および透光性を有する外郭と、照明装置とを備え、ファンの駆動によって外郭内に生じる風の流れの中に照明装置が配されたことを特徴とするイオン発生機。
【請求項２】
エンジン部の上部に吹出口が形成され、下部に吸込口が形成され、照明装置は、吸込口の上流側においてエンジン部内に設けられたファンの下方に配置されたことを特徴とする請求項１記載のイオン発生機。
【請求項３】
エンジン部内に、吸込口から吹出口に至る通風路が形成され、通風路は、上方に向かう風の流れを水平方向の流れに変えるように曲がって形成され、通風路の水平部分に、風の偏りをなくして、左右均等に風を吹き出させるための補正部が設けられたことを特徴とする請求項２記載のイオン発生機。
【請求項４】
吹出口に、斜め上方向に向かう風を抑えるルーバが設けられたことを特徴とする請求項２または３記載のイオン発生機。
【請求項５】
外郭は、同一形状の複数の分割体を組み合わせて、上面が開口され網目を有する球状に形成されたことを特徴とする請求項１〜４のいずれかに記載のイオン発生機。
【発明の詳細な説明】
【技術分野】
【０００１】
本発明は、照明装置を組み合わせた卓上型のイオン発生機に関する。
【背景技術】
【０００２】
放電によりイオンを発生するイオン発生機は、テーブルなどの上に設置され、発生したイオンをファンの送風により室内に放出する。放出されたイオンにより、空気中に浮遊する細菌を殺菌したり、空気中の臭いを分解して消臭したりすることができる。
【０００３】
ここで、ユーザに向けてスポット的にイオンを吹き出せるイオン発生機において、その用途を広げるために、照明装置が組み合わせられる。特許文献１に記載されたイオン発生機では、スタンドに支持された筐体内に、吸込口と吹出口とを連結する空気通路が形成され、空気通路にイオン発生装置とファンとが配置される。筐体の吹出口の近くに、ＬＥＤを光源とする照明装置が設けられる。
【先行技術文献】
【特許文献】
【０００４】
【特許文献１】特開２０１３−３７８３２号公報
【発明の概要】
【発明が解決しようとする課題】
【０００５】
照明装置としてＬＥＤを用いている場合、ＬＥＤが発熱するので、放熱が必要となる。そのため、ヒートシンクなどの放熱部材が設けられる。ＬＥＤから発生した熱は放熱部材に伝わり、放熱部材から放熱される。このような放熱部材が設けられると、イオン発生機の大型化および重量化となる。特に、卓上型のイオン発生機では、スタンドに支持される筐体が大きくなると、重心バランスが悪くなり、イオン発生機が転倒しやすくなる。
【０００６】
ところで、イオン発生機では、発生したイオンを放出するためにファンを備えている。このファンによる送風を利用すれば、照明装置から放熱させることができる。本発明は、上記に鑑み、放熱部材を設けることなく、ファンの送風を利用して、照明装置を冷却できる構造を採用したイオン発生機の提供を目的とする。
【課題を解決するための手段】
【０００７】
本発明は、イオンを発生するイオン発生装置およびファンを有し、吸い込んだ空気にイオンを含めて上側から吹き出すエンジン部と、エンジン部をぶら下がった状態で保持する通気性および透光性を有する外郭と、照明装置とを備えたものである。ファン４の駆動によって外郭内に生じる風の流れの中に照明装置が配される。
【０００８】
エンジン部がぶら下がることにより、外郭内に広いスペースが生じ、風の流れが起きやすくなる。したがって、照明装置を風にさらせる好適な位置に照明装置を配置でき、照明装置を確実に冷却できる。
【０００９】
エンジン部の上部に吹出口が形成され、下部に吸込口が形成され、照明装置は、吸込口の上流側においてエンジン部内に設けられたファンの下方に配置される。ファンによって吸込口から吸い込まれる風の流れを邪魔しない位置に照明装置を配置することができる。
【００１０】
エンジン部内に、吸込口から吹出口に至る通風路が形成され、通風路は、上方に向かう風の流れを水平方向の流れに変えるように曲がって形成され、通風路の水平部分に、風の偏りをなくして、左右均等に風を吹き出させるための補正部が設けられる。
【００１１】
風の流れを９０度変える通風路にすることにより、ファンやイオン発生装置から発生した音が直接吹出口から出ないようにでき、イオン発生機からの騒音を低減できる。また、ファンの回転方向に応じて左右方向で風の多少が生じて、風が偏るが、補正部により、左右の風の少ない側に多く風が流れるように風の流れが変えられる。これによって、吹き出す風の左右のバランスが改善され、風が左右均等に吹き出す。
【００１２】
吹出口に、斜め上方向に向かう風を抑えるルーバが設けられる。通風路において、風が上方から水平に方向を変えるとき、斜め上方向に向かう風が生じる。この風がルーバに当たって、風の流れが水平方向に導かれる。
【００１３】
外郭は、同一形状の複数の分割体を組み合わせて、上面が開口され網目を有する球状に形成される。これにより、強度的に優れた球形の籠状となった外郭を形成することができる。
【発明の効果】
【００１４】
本発明によると、外郭内にエンジン部をぶら下げて設けることにより、外郭内に風の流れが生じ、風の流れがある位置に照明装置を配置できる。したがって、放熱部材を設けなくても、ファンの送風を利用して、低コストで照明装置を冷却することができる。
【図面の簡単な説明】
【００１５】
【図１】本発明のイオン発生機の外観図
【図２】イオン発生機の断面図
【図３】エンジン部の外観図
【図４】外郭の分解斜視図
【図５】分割体の結合部分の断面図
【図６】防音部を有するヘッド部の断面図
【図７】ヘッド部の通風路の断面図
【図８】ヘッド部の通風路での風の流れを示す図
【図９】ノズルの斜視図
【図１０】上向きにノズルを装着したイオン発生機の断面図
【図１１】下向きにノズルを装着したイオン発生機の断面図
【発明を実施するための形態】
【００１６】
（第１実施形態）
本実施形態のイオン発生機を図１〜３に示す。イオン発生機は、吸い込んだ空気にイオンを含めて上側から吹き出すエンジン部１と、エンジン部１をぶら下がった状態で保持する外郭２とから構成され、テーブルなどの卓上に置かれる。エンジン部１は、イオンを発生するイオン発生装置３および発生したイオンを外部に吹き出させるファン４を収容するとともに、照明装置５を備えている。外郭２は、上面にエンジン部１を載せられるように開口され、網目を有する籠状に形成され、通気性および透光性を有する。
【００１７】
エンジン部１は、イオン発生装置３およびファン４を収容するケース６を有する。ケース６の下側に照明装置５が設けられる。円筒状のケース６は、イオン発生装置３およびファン４を内装した円筒状の胴体部７と、照明装置５を隠すスカート部８と、胴体部７の上側を覆うヘッド部９とを組み合わせて形成される。ヘッド部９が中空の胴体部７の上部にねじ止めされ、円筒状のスカート部８が胴体部７の下部に嵌め込まれる。ヘッド部９は、胴体部７よりも大径とされる。
【００１８】
胴体部７の下面に吸込口１０が形成され、ヘッド部９の側面に吹出口１１が形成される。ケース６の内部に、吸込口１０と吹出口１１とを連通する通風路１２が形成される。吸込口１０は、胴体部７の下面の中央に円状に形成され、吸込口１０の上側にフィルタ１３が設けられる。フィルタ１３は、ケース６の胴体部７に着脱可能に装着される。吸込口１０の下方に照明装置５が設けられる。
【００１９】
通風路１２は、上方に向かう風の流れを水平方向の流れに変えるように曲がって形成される。胴体部７の通風路１２は、上下方向に断面矩形状に形成される。ヘッド部９の通風路１２は、上向きから水平方向に湾曲し、水平部分では断面矩形状に形成される。胴体部７の通風路１２とヘッド部９の通風路１２とは、連通している。吹出口１１の先端は、左右方向（幅方向）に広がるように形成される。
【００２０】
胴体部７内に、イオン発生装置３、ファン４およびメイン基板２０が設けられる。ファン４は、軸流ファンとされる。メイン基板２０は、ＣＰＵなどから構成される制御装置、各装置に電源を供給する電源装置などを搭載する。イオン発生装置３、ファン４およびメイン基板２０は、電装ユニット２１にそれぞれ保持される。電装ユニット２１は、ヘッド部９の下面に着脱可能に取り付けられる。したがって、電装ユニット２１は胴体部７内に位置する。
【００２１】
電装ユニット２１に、断面矩形状の筒が形成され、この筒の四方の側壁２２により通風路１２の一部が形成される。筒の上側に、ファン４が装着され、ファン４は通風路１２内に配置される。筒はファン４の上流側に位置し、側壁２２の１つに、イオン発生装置３が装着され、イオン発生装置３は通風路１２に面するように設けられる。イオン発生装置３に対向する側壁２２の外側にメイン基板２０が配置される。
【００２２】
イオン発生装置３は、２組の放電電極と誘導電極とを有し、各電極は樹脂製ケースに収容される。ケース内に、放電電極および誘導電極に高電圧を印加する高電圧発生回路が設けられる。放電電極および誘導電極に高電圧が印加されると、一方の放電電極から正イオンが発生し、他方の放電電極から負イオンが発生する。
【００２３】
イオン発生装置３は、ファン４の上流側でファン４とフィルタ１３との間に位置する。また、通風路１２に、イオン発生装置３から発生するイオンを検出するためのイオンセンサ２３が設けられる。イオンセンサ２３は、イオン発生装置３の隣の側壁２２に設けられる。イオンセンサ２３は、側壁２２の一部が切り欠かれた部分に装着され、通風路１２に面するように配置される。イオンセンサ２３は、ファン４の回転方向においてイオン発生装置３の下流側に位置する。
【００２４】
メイン基板２０に、電源供給用のプラグ２４を差し込むコネクタ２５が設けられる。メイン基板２０とイオン発生装置３およびファン４は、ケース６内に引き回されたリード線によりそれぞれ接続される。また、胴体部７の筒の中央に、ファン４を支えるための支柱２６が設けられる。支柱２６は、ファン４の中心軸上に配置され、ファン４に接触可能とされる。ファン４が振動して、上下すると、ファン４が支柱２６に接触して、ファン４の振動が低減される。
【００２５】
照明装置５は、ＬＥＤからなる発光素子３０と、発光素子３０を収容する照明ケース３１を有する。発光素子３０は回路基板３２に搭載され、発光素子３０が下向きになるように、回路基板３２が照明ケース３１に装着される。照明ケース３１に透光性を有するカバー３３が被せられ、照明ケース３１内に埃や水が入らないようにされる。照明ケース３１は、環状の支持枠３４に複数の脚３５により連結される。支持枠３４は、吸込口１０の周囲の胴体部７の下部に取り付けられる。メイン基板２０と照明装置５とを接続するリード線は、脚３５の上側に沿って這わせられる。
【００２６】
照明ケース３１が支持枠３４の中央に配置されるので、照明装置５はファン４の下方にある支柱２６の真下に位置する。照明ケース３１やカバー３３は滑らかな曲面のドーム状に形成され、脚３５もＵ字状のような滑らかな曲面に形成され、これらは風の抵抗とならないようにされる。照明ケース３１の外径は吸込口１０の直径よりも小とされる。
【００２７】
透光性を有するスカート部８は、照明装置５を取り囲み、スカート部８の下面は開口されている。したがって、外部から照明装置５自体は見えないが、照明装置５から照射された光は、スカート部８を透過して、外部を照らす。ここで、照明装置５に波長の異なる複数の発光素子３０を用いることにより、色調の異なる照明を実現できる。ユーザは状況に応じて照明の光を切り替えることができる。
【００２８】
外郭２は、図４に示すように、同一形状の４つの分割体４０を組み合わせて、上面および下面をカットした球形の籠状に形成される。分割体４０は、斜めの格子４１を組み合わせて菱形の孔４２ができるように射出成形によって形成される。射出成形部材を使用することにより、部材の内面側のアンダーカット処理を不要にでき、多様な形態の網目を形成することが可能となる。
【００２９】
図５に示すように、分割体４０の一端の格子４１に、外向きの凹凸４３が形成され、凹凸４３には、外向きの爪４４と外向きの溝４５が形成される。他端の格子４１に、内向きの凹凸４６が形成され、凹凸４６には、内向きの爪４７と内向きの溝４８が形成される。分割体４０の一端の凹凸４３が隣の分割体４０の他端の凹凸４６に嵌められる。外向きの爪４４が内向きの溝４８に嵌り、内向きの爪４７が外向きの溝４５に嵌る。このように２つの凹凸４３，４６を嵌め合わせることにより、水平方向の外力に対しても上下方向の外力に対しても、分割体４０が外れることがなく、隣同士の分割体４０が強固に結合されて、球状の外郭２を形成することができる。
【００３０】
そして、外郭２の上面の開口の周縁および下面の開口の周縁に、それぞれ固定用のリング４９，５０が嵌められ、各リング４９，５０はねじで分割体４０に固定される。リング４９，５０は、エラストマーなどの軟質材料によって環状に形成される。下側のリング５０には、エンジン部１のサポート５１が設けられる。４本のサポート５１は、上方に向かって延びる柱状に形成され、ケース６のスカート部８の下面に対して隙間をあけて配置される。エンジン部１に上側から外力がかかって、エンジン部１が下がり、外殻２が撓んだ場合に、スカート部８がサポート５１に当接することにより、エンジン部１が支えられ、外郭２の過度の撓みが防がれる。これにより、分割体４０の凹凸４３，４６による結合が外れることがなく、外郭２の分解を防止できる。なお、サポート５１は必ずしも設ける必要はなく。サポート５１がなくても、外郭２を球状に形成することにより、上側からの荷重が分散されて、凹凸４３，４６の結合部分に荷重が集中しないので、外殻２が分解するほどの変形は生じない。
【００３１】
エンジン部１のケース６が外郭２の上面の開口から挿入されると、ヘッド部９がリング４９に引っ掛かり、エンジン部１が外郭２に吊り下げられる。ヘッド部９は外郭２から上方に突出する。スカート部８は外郭２のほぼ中央に位置する。
【００３２】
ケース６のコネクタ２５にプラグ２４が差し込まれる。プラグ２４のコード５５は、外郭２の網目の孔４２を通って外郭２内に引き込まれる。図４に示すように、孔４２に、コードカバー５６が設けられ、コード５５が孔４２のエッジで損傷することが防がれる。コードカバー５６は、ゴムやエラストマーなどの軟質材によって孔４２の形状に応じた枠状に形成される。コードカバー５６が孔４２に嵌め込まれ、孔４２のエッジがコード５５に接触しないように覆われる。これによって、コード５５が外郭２の孔４２に摺れて、損傷するといったことを防止できる。
【００３３】
ヘッド部９に操作スイッチ５７が設けられる。操作スイッチ５７が操作されると、制御装置は、イオン発生装置３およびファン４を制御するとともに照明装置５を制御する。ファン４が動作すると、ケース６の下側から周囲の空気が吸い込まれる。
【００３４】
外郭２の周りの空気が外郭２内に流れ込み、スカート部８を回り込んで上方の吸込口１０に向かって流れる風が生じる。この風の中に照明装置５がある。そのため、照明ケース３１やカバー３３は風にさらされるので、照明装置５が点灯したときに生じる熱によって温度が上昇した照明ケース３１やカバー３３から放熱が行われる。このように、照明装置５は空冷される。
【００３５】
なお、照明装置５は支柱２６の下方に位置し、吸込口１０に対して中央に位置するので、ケース６内に吸い込まれる風は照明装置５に沿って流れ、照明装置５は風の流れの邪魔にはならない。また、大きな埃などの異物は照明装置５のカバー３３に当たり、カバー３３によって生じる下降気流に乗って落下する。すなわち、カバー３３はフィルタとして機能することになり、ケース６内のフィルタ１３が目詰まりしにくくなって、送風効率の低下を防げる。
【００３６】
イオン発生装置３が動作すると、正イオンおよび負イオンが発生する。イオン発生装置３から発生したイオンは、通風路１２内の送風により上方に向かって運ばれる。そして、イオンは、吹出口１１から室内に吹き出される。
【００３７】
胴体部７内において、イオンセンサ２３は、イオン発生装置３から発生するイオンを検出する。発生したイオンはファン４の回転による風の流れでイオンセンサ２３に向かって流れ、イオンセンサ２３はイオンの有無を確実に検出することができる。イオンセンサ２３がイオン無しを検出すると、制御装置は、イオン発生装置３の動作を停止させて、報知ランプを動作させる。報知ランプの点灯によって、異常が報知される。
【００３８】
このように、イオンを放出するための風の流れの中に照明装置５が配置されることにより、ファン４による送風を利用して照明装置５の冷却を図ることができる。しかも、四方からスカート部８内に流れ込む空気は、照明装置５の照明ケース３１によって吸込口１０に案内される。これにより、周囲の空気をスムーズに胴体部７内に導くことができる。
【００３９】
また、メイン基板２０およびイオン発生装置３を通風路１２に面するように設けることにより、メイン基板２０に搭載された電子部品が発熱しても、通風路１２を流れる風によって放熱が促進される。メイン基板２０を冷却することができ、放熱部材を設ける必要がなくなる。
【００４０】
イオンを含んだ風は、胴体部７からヘッド部９の通風路１２を通って吹出口１１から室内に吹き出される。胴体部７から上方に向かう風は、ヘッド部９の通風路１２の上壁６０によって９０度方向を変えられ、水平に向きを変えて吹出口１１に向かう。吹出口１１に、風の流れを水平方向に導くためのルーバ６１が設けられている。ルーバ６１は、吹出口１１の幅方向にわたって水平に形成される。ルーバ６１の後端は、ファン４の上方よりも前側に位置して、ルーバ６１はファン４か真上に吹き出す風を遮らない。
【００４１】
ファン４の吹出口１１から遠い側から吹き出た風は、上方に向かってから水平に方向を変えて吹出口１１に向かう。ファン４の吹出口１１に近い側から上方に向かって吹き出た風は、遠い側から来る風に押されて、斜め上方向に向かう。斜め上方向に向かった風の流れは、ルーバ６１によって水平方向に変えられる。これにより、吹出口１１から水平方向に風が吹き出され、イオンがユーザの顔などの目標に向かって遠くまで運ばれる。
【００４２】
ここで、通風路１２が湾曲して形成されているので、ファン４やイオン発生装置３は吸込口１０から直接見えない位置にある。ファン４やイオン発生装置３が動作したときに発生する音は、ヘッド部９の通風路１２の上壁６０に当たり、直接吹出口１１から出ない。これにより、ヘッド部９において音が減衰され、イオン発生機から発する騒音を低減することができる。
【００４３】
（第２実施形態）
本実施形態のイオン発生機では、発生した騒音をさらに低減するために、通風路１２に騒音対策が施される。すなわち、ヘッド部９の通風路１２に防音部６２が設けられる。その他の構成は第１実施形態と同じである。
【００４４】
図６に示すように、ヘッド部９の通風路１２が湾曲する部分の上壁６０に防音部６２が設けられる。通風路１２の上壁６０のファン４から吹き出た風が当たる部分に、凹凸が形成される。凹凸が形成された上壁６０が防音部６２とされる。あるいは、凹凸を形成する代わりに、吸音性を有するフィルム状の吸音材が上壁６０の吹き出た風が当たる部分に貼り付けられる。吸音材が貼られた上壁６０が防音部６２とされる。
【００４５】
ファン４やイオン発生装置３から発生した音は、通風路１２を通るが、途中の防音部６２において、音が乱反射されて、音が拡散する、あるいは音が吸収される。その結果、吹出口１１から出る音が小さくなり、イオン発生機の騒音を低減することができる。
【００４６】
（第３実施形態）
ファン４に使用される軸流ファン４では、旋回しながら軸方向に風が吹き出す。旋回した風は、水平方向の流れとなって、吹出口１１から吹き出す。このとき、ファン４の回転方向に応じて左右方向の偏りが生じる。例えば、ファン４が時計回りに回転するとき、吹出口１１の左側から出る風の風量および風速は、右側から出る風よりも大となる。したがって、吹出口１１から吹き出す風は左側に偏る。そのため、吹出口１１から放出されるイオンの分布に偏りが生じ、イオンによる効果は十分に発揮されなくなる。
【００４７】
そこで、本実施形態のイオン発生機では、風の偏りをなくして、左右均等に風が吹き出すようにする。すなわち、通風路１２の水平部分に、風の偏りをなくして、左右均等に風を吹き出させるための補正部６５が設けられる。その他の構成は第１、第２実施形態と同じである。
【００４８】
図７に示すように、補正部６５は、ヘッド部９の通風路１２の水平部分の左右の側壁を通風路１２内に張り出すようにして形成され、補正部６５の先端は左右方向の外側に向かって広がっている。通風路１２の左右の側壁に補正部６５が設けられることにより、側壁の近くを流れる風が側壁に引き寄せられるコアンダ効果が生じる。したがって、側壁に沿って流れる風が生じる。
【００４９】
ファン４が時計回りに回転するとき、図８に示すように、ファン４から吹き出した風は、通風路１２の左側に偏りやすくなるが、右側の側壁に補正部６５があると、補正部６５を形成する側壁に沿って風が流れる。この風は、右側に広がるように吹出口１１から吹き出される。このように、吹出口１１の左側から出る風と右側から出る風では、風速および風量がほぼ同じとなり、左右のバランスの取れた風を実現できる。したがって、吹き出されるイオンの分布も左右均等となり、吹出口１１の前方にある目標に向かって左右均等に分布したイオンを届けることができる。
【００５０】
ファン４の回転方向が反時計回りのとき、左側の補正部６５によって、左側から出る風の風速および風量が増し、左右方向に偏りのない風を実現できる。なお、補正部６５を左右両側に設ける代わりに、ファン４の回転方向に応じて、通風路１２の左右いずれか一方の側壁に補正部６５を設けてもよい。
【００５１】
（第４実施形態）
上記のイオン発生機では、風は水平方向に吹き出す。上向きあるいは下向きに吹き出し方向を変えるために、図９に示すような吹出口１１に装着可能なノズル７０を用いる。その他の構成は第１〜第３実施形態と同じである。
【００５２】
ノズル７０は、吹出口１１に嵌め込まれる水平部７１と、風向きを決める傾斜部７２とからなり、断面矩形の筒状に形成される。傾斜部７２は、水平方向７１に対して斜めになっている。水平部７１は、エラストマーなどの軟質部材からなり、傾斜部７２は、硬質樹脂からなり、２色成形により水平部７１と傾斜部７２とが一体的に成形される。水平部７１の側壁には、スリット７３が形成され、水平部７１が吹出口１１に挿入されたとき、スリット７３にルーバ６１が嵌まり込む。
【００５３】
ノズル７０の水平部７１が通風路１２に差し込まれることにより、ノズル７０がケース６に取り付けられる。送風方向を上向きにするときには、図１０に示すようにノズル７０が吹出口１１に装着される。送風方向を下向きにするときには、図１１に示すようにノズル７０が吹出口１１に装着される。
【００５４】
ここで、吹出口１１付近の通風路１２の四方の側壁は塗装されている。ノズル７０の水平部７１は側壁の塗装面に接触する。水平部７１は軟質部材からなるので、吹出口１１において水平部７１が挿入されたり、抜かれたりしても、塗装面を傷付けない。したがって、ノズル７０が外されているとき、吹出口１１は外部から見えるが、見栄えのよい塗装面が見える。
【００５５】
以上の通り、本発明のイオン発生機は、イオンを発生するイオン発生装置３およびファン４を有し、吸い込んだ空気にイオンを含めて上側から吹き出すエンジン部１と、エンジン部１をぶら下がった状態で保持する通気性および透光性を有する外郭２と、照明装置５とを備えている。ファン４の駆動によって外郭２内に生じる風の流れの中に照明装置５が配される。
【００５６】
これにより、風にさらされる位置に照明装置５を配置することができ、ファン４の送風を利用して、照明装置５を冷却できる。
【００５７】
エンジン部１の上部に吹出口１１が形成され、下部に吸込口１０が形成され、照明装置５は、吸込口１０の上流側においてエンジン部１内に設けられたファン４の下方に配置される。これにより、エンジン部１に吸い込まれる風の流れを阻害しないように、照明装置５を配置することができる。
【００５８】
エンジン部１内に、吸込口１０から吹出口１１に至る通風路１２が形成され、通風路１２は、上方に向かう風の流れを水平方向の流れに変えるように曲がって形成される。これにより、ファン４やイオン発生装置３から発生した音が直接吹出口１１から出ないので、イオン発生装置３から発せられる騒音を低減できる。
【００５９】
通風路１２の水平部分に、風の偏りをなくして、左右均等に風を吹き出させるための補正部６５が設けられる。これにより、ファン４の影響によって生じる風の不均等を改善でき、イオンを左右方向に均等に行き渡らせることができる。
【００６０】
吹出口１１に、斜め上方向に向かう風を抑えるルーバ６１が設けられる。これにより、下方のファン４から吹き出た風が水平方向に導かれ、送風効率がよくなって、イオンを遠くまで運ぶことができる。
【００６１】
外郭２は、同一形状の複数の分割体４０を組み合わせて、上面が開口され網目を有する球状に形成される。これにより、低コストで多様な網目の外郭２を容易に作成できれる。
【００６２】
なお、本発明は、上記実施形態に限定されるものではなく、本発明の範囲内で上記実施形態に多くの修正および変更を加え得ることは勿論である。照明装置５は、外郭２内に生じる風の中にあれば、この風によって照明装置５を冷却できる。そこで、照明装置５を吹出口１１の下流側に配置してもよい。
【符号の説明】
【００６３】
１    エンジン部
２    外郭
３    イオン発生装置
４    ファン
５    照明装置
６    ケース
１０    吸込口
１１    吹出口
１２    通風路
３０    発光素子
３１    照明ケース
３２    カバー
４０    分割体
４２    孔
４３    外向きの凹凸
４６    内向きの凹凸
６１    ルーバ
６２    防音部
６５    補正部
７０    ノズル
【図１】
2016070540.tif 000003
【図２】
2016070540.tif 000004
【図３】
2016070540.tif 000005
【図４】
2016070540.tif 000006
【図５】
2016070540.tif 000007
【図６】
2016070540.tif 000008
【図７】
2016070540.tif 000009
【図８】
2016070540.tif 000010
【図９】
2016070540.tif 000011
【図１０】
2016070540.tif 000012
【図１１】
2016070540.tif 000013